(57)【要約】      （修正有）【課題】マットレス全体を覆うタイプのマットレスカバーにおいて、マットレスへの着脱を容易にするマットレスカバーを提供する。【解決手段】マットレスカバー１は、マットレス２の上面を覆う上面部１０と、側面を覆う側面部２０と、下面を覆う下面部３０とから構成されている。また、上面部１０，下面部３０は、それぞれ、外縁に沿って線ファスナー１１，３１が設けられていると共に、側面部２０は、両側に位置する各縁部に沿って線ファスナー１１，３１が設けられている。そして、上面部１０は、線ファスナー１１により側面部２０に着脱可能に構成されていると共に、下面部３０は、線ファスナー３１により側面部２０に着脱可能に構成されている。【選択図】図１
0003185181.tif 000002
【実用新案登録請求の範囲】
【請求項１】
マットレスの側面を取り囲む帯状の側面部と、マットレスの上面を覆う上面部と、マットレスの下面を覆う下面部とを備えるマットレスカバーにおいて、
前記側面部は、両側の縁部に沿ってファスナーが設けられていると共に、前記上面部及び前記下面部は、外縁に沿ってファスナーが設けられており、
前記上面部と前記側面部、及び、前記上面部と前記下面部は、それぞれ、ファスナーにより着脱可能に構成されていること、
を特徴とするマットレスカバー。
【請求項２】
請求項１に記載のマットレスカバーにおいて、
前記側面部、前記上面部、及び、前記下面部に設けられたファスナーは、線ファスナーとして構成されており、
前記側面部と前記上面部とを結合する線ファスナーのスライダーである上面側スライダーと、前記側面部と前記下面部とを結合する線ファスナーのスライダーである下面側スライダーとを結ぶ紐状の接続部をさらに有すること、
を特徴とするマットレスカバー。
【請求項３】
請求項２に記載のマットレスカバーにおいて、
前記接続部は、一端が前記上面側スライダーに接続された紐状の上面側接続部と、一端が前記下面側スライダーに接続された紐状の下面側接続部と、から構成され、
前記上面側接続部の他端と前記下面側接続部の他端とは、着脱可能に構成されていること、
を特徴とするマットレスカバー。
【請求項４】
請求項２または請求項３に記載のマットレスカバーにおいて、
前記接続部は、前記上面側スライダーと前記下面側スライダーとのうちの少なくとも一方と着脱可能に構成されていること、
を特徴とするマットレスカバー。
【請求項５】
請求項１から請求項４のうちのいずれか１項に記載のマットレスカバーにおいて、
幅の異なる複数の前記側面部を備えること、
を特徴とするマットレスカバー。
【考案の詳細な説明】
【技術分野】
【０００１】
本考案は、ベッドのマットレスカバーに関する。
【背景技術】
【０００２】
従来、ベッドのマットレスの上面及び側面を覆うタイプのマットレスカバーが知られている（例えば、特許文献１）。特許文献１に記載されたマットレスカバーには、上面に電気毛布等を収納するための袋部が設けられていると共に、該袋部は、ファスナーにより開閉可能に構成されており、これにより、電気毛布を用いる際のベッドメイキングが容易になる。
【先行技術文献】
【特許文献】
【０００３】
【特許文献１】特開２００２−２４８０４０号
【考案の概要】
【考案が解決しようとする課題】
【０００４】
また、このほかにも、マットレスの上面，下面，側面全体を完全に覆うタイプのマットレスカバーが知られているが、このようなマットレスカバーにおいては、マットレスへの着脱が困難になるという問題があった。
【０００５】
本願考案は上記課題に鑑みてなされたものであり、マットレス全体を覆うタイプのマットレスカバーのマットレスへの着脱を容易にすることを目的とする。
【課題を解決するための手段】
【０００６】
上記課題に鑑みてなされた請求項１に記載の考案は、マットレスの側面を取り囲む帯状の側面部と、マットレスの上面を覆う上面部と、マットレスの下面を覆う下面部とを備えるマットレスカバーにおいて、側面部は、両側の縁部に沿ってファスナーが設けられていると共に、上面部及び下面部は、外縁に沿ってファスナーが設けられており、上面部と側面部、及び、上面部と下面部は、それぞれ、ファスナーにより着脱可能に構成されていること、を特徴とする。
【０００７】
このような構成によれば、マットレス全体を覆うタイプのマットレスカバーを、側面部と上面部と下面部とに容易に分解することができる。
このため、該マットレスカバーをマットレスに取り付ける際には、該マットレスカバーを分解し、各部位を別々にマットレスに取り付けた後にファスナーで結合させることができ、マットレスへの取り付けが容易となる。
【０００８】
また、該マットレスカバーをマットレスから取り外す際には、マットレスカバーを側面部，上面部，下面部に分解した後、各部位を別々に取り外せば良く、マットレスからの取り外しが容易となる。
【０００９】
したがって、このような構成のマットレスカバーによれば、マットレスへの着脱が容易となる。
また、例えば、マットレスカバーの上面部は、ユーザの体に直接触れることもあり、人目に付き易いため、肌触りの良さや見栄えの良さが求められる。一方、下面部は、マットレスとベッドの台座部分とに挟まれた状態となるため、上面部とは異なり、見栄えの良さ等は求められず、丈夫さや耐久性が求められる。
【００１０】
これに対し、上記構成によれば、上面部，側面部，下面部を、各部位に求められる特性に応じた素材や方法等により別々に製造することができる。このため、各部位に求められる特性を全て満足するような素材や方法等でマットレスカバーを製造する必要が無く、製造コストを抑えることができる。
【００１１】
また、マットレスカバーの上面部や側面部は、下面部に比べて汚れが生じ易く、傷み易いが、上記構成によれば、上面部や側面部に汚れ等が生じた際には、汚れ等が生じた部位のみを取り替えれば良く、コストを抑えることができる。
【００１２】
また、季節に応じて、例えば厚手の素材やメッシュ素材のマットレスカバーを使い分けることが考えられるが、上記構成によれば、季節に応じて上面部や側面部のみを交換することができ、マットレスカバー全体を交換する場合に比べ、コストや手間を抑えることができる。
【００１３】
また、幅の異なる側面部を使い分けることで、様々な厚みを有するマットレスに対してマットレスカバーを使用することが可能となり、コストを抑えることができる。
なお、請求項２に記載されているように、側面部、上面部、及び、下面部に設けられたファスナーは、線ファスナーとして構成されており、側面部と上面部とを結合する線ファスナーのスライダーである上面側スライダーと、側面部と下面部とを結合する線ファスナーのスライダーである下面側スライダーとを結ぶ紐状の接続部をさらに有していても良い。
【００１４】
このような構成によれば、接続部を引っ張ることで、上面側スライダーと下面側スライダーを同時に動かすことができ、上面部と下面部を同時に着脱することが可能となる。
また、請求項３に記載されているように、接続部は、一端が上面側スライダーに接続された紐状の上面側接続部と、一端が下面側スライダーに接続された紐状の下面側接続部と、から構成され、上面側接続部の他端と下面側接続部の他端とは、着脱可能に構成されていても良い。
【００１５】
このような構成によれば、接続部を上面側接続部と下面側接続部とに分解すれば、上面側スライダーと下面側スライダーを別々に動かすことが可能となる。このため、上面部と下面部を同時に着脱することを可能としつつも、状況に応じて上面部や下面部を単独で着脱することが可能となり、使い勝手を向上させることができる。
【００１６】
また、請求項４に記載されているように、接続部は、上面側スライダーと下面側スライダーとのうちの少なくとも一方と着脱可能に構成されていても良い。
このような構成によれば、接続部を上面側スライダー或いは下面側スライダーから切り離し、上面側スライダーと下面側スライダーを別々に動かすことが可能となる。このため、上面部と下面部を同時に着脱することを可能としつつも、状況に応じて上面部や下面部を単独で着脱することが可能となり、使い勝手を向上させることができる。
【００１７】
また、請求項５に記載されているように、マットレスカバーは、幅の異なる複数の側面部を備えていても良い。
このような構成によれば、厚みの異なるマットレスに対して側面部を使い分け、マットレスカバーを様々な厚みのマットレスにフィットさせることができるため、コストを抑えることができる。
【図面の簡単な説明】
【００１８】
【図１】第１実施形態のマットレスカバーの斜視図である。
【図２】第１実施形態のマットレスカバーの分解斜視図と、マットレスカバーの側面部の斜視図である。
【図３】第２実施形態のマットレスカバーの側面図である。
【考案を実施するための形態】
【００１９】
以下、本考案の実施形態について図面を用いて説明する。なお、本考案の実施の形態は、下記の実施形態に何ら限定されることはなく、本考案の技術的範囲に属する限り種々の形態を採りうる。
【００２０】
［第１実施形態］
第１実施形態のマットレスカバー１は、マットレス２の上面，下面，側面全体を完全に覆う構成となっており、マットレスカバー１は、マットレス２の上面を覆う上面部１０と、マットレス２の側面を覆う帯状の側面部２０と、マットレス２の下面を覆う下面部３０とから構成されている（図１，図２（ａ）参照）。
【００２１】
また、上面部１０は、外縁に沿って線ファスナー１１が設けられていると共に、下面部３０は、外縁に沿って線ファスナー３１が設けられている。また、側面部２０は、両側に位置する各縁部に沿って線ファスナー１１，３１が設けられている。
【００２２】
そして、上面部１０は、線ファスナー１１により側面部２０に着脱可能に構成されていると共に、下面部３０は、線ファスナー３１により側面部２０に着脱可能に構成されている。
【００２３】
ここで、上面部１０と側面部２０とを結合させる線ファスナー１１のスライダーを、上面側スライダー１２とすると共に、下面部３０と側面部２０とを結合させる線ファスナー３１のスライダーを、下面側スライダー３２とする。マットレスカバー１は、上面側スライダー１２と下面側スライダー３２とを結ぶ紐状の接続部４０を有している。
【００２４】
なお、接続部４０の端部の少なくとも一方（さらに望ましくは両端）は、例えばフック状の係合具等により、各スライダーと着脱可能に構成されているのが望ましい。
また、上面側スライダー１２や下面側スライダー３２は、それぞれ、側面部２０側の線ファスナー１１，３１に取り付けられていても良いし、上面部１０側，下面部３０側の線ファスナー１１，３１に取り付けられていても良い。
【００２５】
また、マットレスカバー１は、接続部４０を有さない構成としても良い。
また、マットレスカバー１は、幅の異なる１または２以上の複数の側面部２０をさらに有し、マットレス２の厚みに応じて側面部２０を使い分ける構成としても良い（図２（ｂ））。さらに、マットレスカバー１は、素材の異なる１または２以上の側面部２０，上面部１０，下面部３０をさらに有し、季節等に応じてこれらを使い分ける構成としても良い。
【００２６】
［第２実施形態］
第２実施形態のマットレスカバー１は、第１実施形態とほぼ同様の構成を有しているが、接続部４０等の構成が異なっている（図３参照）。
【００２７】
すなわち、第２実施形態では、上面側スライダー１２と下面側スライダー３２とを結ぶ接続部４０は、その中央で切り離すことが可能となっている。
すなわち、接続部４０は、一端が上面側スライダー１２に接続される上面側接続部４１と、一端が下面側スライダー３２に接続される下面側接続部４２とから構成される。また、上面側接続部４１の他端と下面側接続部４２の他端とには、それぞれ、係合部材４３が設けられており、係合部材４３により、上面側接続部４１の他端と下面側接続部４２の他端とが着脱可能に構成されている。
【００２８】
なお、上面側スライダー１２や下面側スライダー３２は、それぞれ、側面部２０側の線ファスナー１１，３１に取り付けられていても良いし、上面部１０側，下面部３０側の線ファスナー１１，３１に取り付けられていても良い。
【００２９】
また、接続部４０の端部の少なくとも一方（望ましくは両端）は、例えばフック状の係合具等により、各スライダーと着脱可能に構成されていても良い。
また、第２実施形態においても、マットレスカバー１は、幅の異なる１または２以上の複数の側面部２０をさらに有し、マットレス２の厚みに応じて側面部２０を使い分ける構成としても良い。さらに、マットレスカバー１は、素材の異なる１または２以上の側面部２０，上面部１０，下面部３０をさらに有し、季節等に応じてこれらを使い分ける構成としても良い。
【００３０】
［効果］
第１，第２実施形態のマットレスカバー１は、上面部１０と側面部２０と下面部３０に容易に分解することができる。
【００３１】
このため、マットレスカバー１をマットレス２に取り付ける際には、マットレスカバー１を分解し、各部位を別々にマットレス２に取り付けた後に線ファスナーにより結合させることができ、マットレス２への取り付けが容易となる。
【００３２】
また、マットレスカバー１をマットレス２から取り外す際には、マットレスカバー１を分解した後、各部位を別々に取り外せば良く、マットレス２からの取り外しが容易となる。
【００３３】
したがって、第１，第２実施形態のマットレスカバー１によれば、マットレス２への着脱が容易となる。
［他の実施形態］
（１）第１，第２実施形態のマットレスカバー１では、上面部１０と側面部２０、下面部３０と側面部２０とは、それぞれ、線ファスナー１１，３１により結合される構成となっているが、線ファスナー１１，３１に替えて、点ファスナーや面ファスナーにより結合される構成となっていても良い。なお、言うまでも無く、このような構成を有する場合には接続部４０は不要となる。
【００３４】
このような場合であっても、同様の効果を得ることができる。
（２）また、第１，第２実施形態の構成を、マットレス自体に適用しても良い。すなわち、マットレスの上面の外縁と下面の外縁に沿って、それぞれ線ファスナーを設け、該線ファスナーにより、第１，第２実施形態のマットレスカバー１の上面部１０，下面部３０に相当するカバーを着脱可能に構成しても良い。そして、第１，第２実施形態の同様の構成を有する接続部を、各線ファスナーのスライダーに設けても良い。
【００３５】
なお、線ファスナーに替えて、点ファスナーや面ファスナーを設けてもて良い。
このような場合であっても、同様の効果を得ることができる。
【符号の説明】
【００３６】
１…マットレスカバー、２…マットレス、１０…上面部、１１…線ファスナー、１２…上面側スライダー、２０…側面部、３０…下面部、３１…線ファスナー、３２…下面側スライダー、４０…接続部、４１…上面側接続部、４２…下面側接続部、４３…係合部材。
【図１】
0003185181.tif 000003
【図２】
0003185181.tif 000004
【図３】
0003185181.tif 000005